(57)【要約】      （修正有）【課題】収納部を有するテントの提供。【解決手段】テント２０は、窓開口２４の底部からテント内に展開する窓シェルフ３４を有する。シェルフ３４は、例えば、窓のインナーカバー３４によって形成される。インナーカバー３４は、ポールのような外部支持体を備えて、倒されたときの形状を維持できるようにしたり、布製ストリップ５８または他の構造体を備えて、インナーカバー３４を水平位置に維持してもよい。１つ以上の留め具を設けることにより、テントの窓２４にインナーカバー３４を取り付け、窓２４の開口を完全に閉じることなく、インナーカバー３４により開口を覆うようにする。【選択図】  図５
2005248698.tif 000002
【特許請求の範囲】
【請求項１】
窓開口、および、該窓開口の底部よりテント内に広がるシェルフを含むテント。
【請求項２】
前記シェルフが、前記窓開口のインナーカバーにより形成される請求項１に記載のテント。
【請求項３】
前記インナーカバーが、着脱可能に前記窓開口を覆う請求項１に記載のテント。
【請求項４】
前記シェルフが、前記インナーカバーがシェルフを形成したときに、該インナーカバーの形状を維持する構造体を含む請求項２に記載のテント。
【請求項５】
前記構造体がポールからなる請求項４に記載のテント。
【請求項６】
前記ポールが、前記インナーカバーの周囲に沿って伸長する請求項５に記載のテント。
【請求項７】
前記ポールが、前記インナーカバーに取り外し可能に取り付けられている請求項６に記載のテント。
【請求項８】
前記ポールが、前記インナーカバーの周囲の少なくとも一部に沿って伸長するスリーブに、取り外し可能に取り付けられている請求項７に記載のテント。
【請求項９】
前記シェルフを支持する構造体をさらに備える請求項２に記載のテント。
【請求項１０】
前記構造体が、前記窓開口の上側でテントに結合され、かつ、インナーカバーにも結合されている布製ストリップを有する請求項２に記載のテント。
【請求項１１】
前記インナーカバー、布製ストリップ、および、窓開口の周囲に取り付けられる少なくとも１つのスクリーンをさらに有する請求項１０に記載のテント。
【請求項１２】
前記布製ストリップが、前記インナーカバーの外周まで伸長し、スクリーンの数が少なくとも２つであり、該スクリーンが前記インナーカバーの外周まで伸長する請求項１１に記載のテント。
【請求項１３】
前記シェルフへアクセスできるように、前記インナーカバーを開けることが可能となっている請求項１２に記載のテント。
【請求項１４】
前記窓開口を閉じるアウトカバーをさらに有し、前記シェルフへアクセスできるように、該アウトカバーを開けることが可能となっている請求項１２に記載のテント。
【請求項１５】
窓開口、該窓開口を覆うためのインナーカバー、該窓開口に対して該インナーカバーを閉じるための閉鎖機構、および、インナーカバーの一部を、前記窓開口の周囲の一部に接続し、かつ、該窓開口の周囲の一部から離れた状態とすることができる、少なくとも１つの留め具を含むテント。
【請求項１６】
前記少なくとも１つの留め具が、前記インナーカバーまたは窓開口の近傍のいずれか一方に取り付けられたトグル、および、前記インナーカバーまたは窓開口のいずれか他方に取り付けられ、前記トグルと嵌合可能であるループとからなる請求項１５に記載のテント。
【請求項１７】
前記少なくとも１つの留め具が、それぞれが、前記インナーカバーまたは窓開口の近傍のいずれか一方に取り付けられた、少なくとも３つのトグル、および、それぞれが、前記インナーカバーまたは窓開口のいずれか他方に取り付けられ、前記各トグルと嵌合可能である、少なくとも３つのループとからなる請求項１５に記載のテント。
【請求項１８】
前記閉鎖機構が、ジッパからなる請求項１５に記載のテント。
【請求項１９】
窓開口、および、該窓開口を覆う第１の配置と、テント内に広がってシェルフとして機能する第２の配置をとることができる、インナーカバーを含むテント。
【請求項２０】
前記インナーカバーがシェルフを形成する際に、該インナーカバーの形状を保持するための構造体をさらに有する請求項１９に記載のテント。
【請求項２１】
前記構造体がポールからなる請求項２０に記載のテント。
【請求項２２】
前記ポールが、前記インナーカバーの周囲に沿って伸長する請求項２１に記載のテント。
【請求項２３】
前記ポールが、前記インナーカバーに取り外し可能に取り付けられている請求項２２に記載のテント。
【請求項２４】
前記ポールが、前記インナーカバーの周囲の少なくとも一部に沿って伸長するスリーブに取り外し可能に取り付けられている請求項２３に記載のテント。
【請求項２５】
前記第２の配置において、インナーカバーを支持する構造体をさらに有する請求項１９に記載のテント。
【請求項２６】
前記構造体が、前記窓開口の上側においてテントに連結され、かつ、前記インナーカバーに連結されている請求項２５に記載のテント。
【請求項２７】
前記インナーカバー、布製ストリップ、および、窓開口の周囲に取り付けられた少なくとも１つのスクリーンをさらに有する請求項２６に記載のテント。
【請求項２８】
前記布製ストリップが前記インナーカバーの外周まで伸長し、前記スクリーンの数が少なくとも２つであり、かつ、前記スクリーンが前記インナーカバーの外周に沿って伸長する請求項２７に記載のテント。
【請求項２９】
シェルフにアクセスできるように、前記スクリーンを開けることが可能となっている請求項２８に記載のテント。
【請求項３０】
前記窓開口を閉じるためのアウトカバーをさらに有し、シェルフにアクセスできるように、該アウトカバーを開けることが可能となっている請求項２８に記載のテント。
【発明の詳細な説明】
【技術分野】
【０００１】
本発明は、テント一般に関し、特にテントの構造に関する。
【背景技術】
【０００２】
テントは、軽量、かつ、多くの場合には防水性の布地で作られた持ち運び可能なシェルタである。一般的に、テントは、フレームにより展張され、それによって支持されるキャンバスまたは他の材料からなる折畳み式シェルタである。テントは、アウトドアキャンプ用に、あるいは一時的な営造物として使用される。テントには、ドームテントおよびキャビンテントをはじめ、多種多様な形状がある。
【０００３】
現在のテントの一つの問題は、収納に対する配慮が欠如していることである。多くの場合、テントは壁と床とからなり、テント内に収納されるものは、床の上に置かざるを得ない。物品を床に置くと乱雑になり、使用者が床上の物品を踏んだり蹴ったりすれば、それらを破損することになる。
【０００４】
一部のテントは、テントの壁の内側に取り付けられたポーチまたはポケットを有する。また、一部のファミリータイプまたはキャビンタイプのテントは、グロメットまたは他の取付構造を有し、そこに吊下式オーガナイザ（バック状形成体）を取り付けることができる。
【発明の開示】
【発明が解決しようとする課題】
【０００５】
これら先行技術により、収納に関する選択肢がもたらされるが、テントにはさらなる収納に対する要求がある。
【課題を解決するための手段】
【０００６】
本発明の基本的な理解を図るために、以下に、本発明のいくつかの実施形態の概要を示す。この概要は、本発明の外延を示すものではない。また、本発明の主要または不可欠な要素を特定するものでもなく、本発明の範囲を限定するものでもない。後で提示するさらに詳細な記述の前提として、本発明の幾つかの実施形態を簡潔に提示することを唯一の目的とする。
【０００７】
一実施形態では、１つ以上の留め具を設けることで、テント窓にインナーカバーを取り付けて、窓の開口を完全に閉じなくても、開口をインナーカバーで覆うことができるようにしている。この機能により、インナーカバーが窓の大部分を遮蔽して、テントの外からテント内を覗けないようにしつつ、窓によるベンチレーション（換気）を可能としている。
【０００８】
一実施形態では、インナーカバーはトグルとループによるファスナによって結合されている。しかし、他の留め具または連結機構を使用してもよい。希望により、窓開口にスクリーン（網戸）を設けることもでき、インナーカバーが部分的にスクリーンを覆うようにする。
【０００９】
一実施形態では、テント用開口の底部からテント内に拡張する窓シェルフが設けられる。シェルフは、例えば、窓のインナーカバーによって形成される。インナーカバーにポールのような外部支持体を備えて、倒されたときの構造を維持したり、布製ストリップまたは他の構造体を備えて、インナーカバーを水平位置に維持して、シェルフとしての機能を果たすようにしてもよい。
【００１０】
希望により、窓開口がシェルフ状態にあるときに、インナーカバーの外縁と窓開口の上縁との間に拡張するスクリーンを設けてもよい。外側の窓カバーにより窓開口を覆い、スクリーンを開けることで窓カバーを操作できるようにする。
【００１１】
本発明の窓シェルフにより、テント内へのベンチレーションを可能とする開口、および、テント内に物品を収容するための手段が提供される。シェルフを地面から離して配置させれば、使用者は、シェルフの下で寝ることもでき、あるいは、シェルフの下に他の物品を置くことも可能となる。さらに、外側の窓カバーを開ければ、使用者がテントの外側からシェルフに物品を置くことが可能となる。同じ使用者または別の使用者が、テントの内側からスクリーンを開けることによって、これらの物品にアクセス可能となる。
【００１２】
本発明の他の特徴は、以下の詳細な説明と図面とにより明らかとされる。
【発明を実施するための最良の形態】
【００１３】
以下の説明では、本発明の様々な実施形態について説明する。説明を目的として、実施形態の完全な理解を図るために、特定の構成および詳細について記載する。しかし、本発明を特定の細部なしに実施することができることは、当業者には明らかである。さらに、記載する実施形態を曖昧としないために、周知の特徴については、省略あるいは簡略化する。
【００１４】
図面を参照するに際して、同様の参照番号は幾つかの図を通して同様の部品を表わす。図１は、本発明を具現するテント２０を示す。図面に示すテント２０は、「ドーム」型テントであるが、本発明の特徴は、ドーム型、自立型、キャビン型、または、他の異なる型のテントに使用することができる。したがって、テント２０を参照して記載するが、本発明は、多くの異なるテント構造に利用することができ、テント以外の布地構造、例えば、シェルタにも使用することができる。
【００１５】
テント２０は、ドア２２および窓開口２４を有する。すなわち、一実施形態では、窓開口２４は、図２に示す閉じた窓位置と、図４および５に示すシェルフ位置との間で変化させることができるように構成、配置される。また、別の実施形態では、図３に示すように、窓24を部分的に開いた形状に保持することができる留め具が設けられる。これらの実施形態の各々を、以下でさらに説明する。
【００１６】
図面の窓開口２４は半円形のように形作られているが、他の窓の形状を使用することができる。窓開口２４は、図１に示すように窓アウトカバー２６を有する。窓アウトカバー２６は、図示した実施形態では、二つのジッパつまみ３０、３２を有するジッパ２８によって、テントに取り付けられる。防雨のために、ジッパ上にフラップ３３が伸長する。
【００１７】
図２に示すように、窓開口２４は、インナーカバー３４によっても覆われる。インナーカバー３４は、ジッパつまみ３８を有するジッパ３６によって、テント２０に取り付けられる。
【００１８】
図３に示すように、一実施形態では、インナーカバー３４を部分的に開いた位置に保持するために、留め具４０が設けられている。図示した実施形態では、留め具４０は、窓開口２４の上に取り付けられたトグル４２と、インナーカバー３４の上縁に取り付けられたループ４４とを含む。他の留め具、例えば、紐、面ファスナー、ボタン、スナップ、クリップ、クランプ、またはインナーカバー３４の一部を窓開口２４の外周の一部に対して接続し、かつ、間隔を置いて配置するために使用できる他の手段を使用してもよい。
【００１９】
図示した実施形態では、三個の留め具４０を使用している。しかし、一個から三個以上まで任意の個数を使用して、インナーカバー３４の一部を窓開口２４の外周の一部に対して接続し、かつ、間隔を置いて配置することができる。
【００２０】
留め具４０のような留め具により、窓開口２４を介しての部分的なベンチレーションが可能となり、かつ、窓開口２４を通しての視界の大部分が遮断されるように、インナーカバー３４を配置することができる。多くの先行技術のテントでは、服の着替えや休息など、何らかの個人的な目的のためにテント内にいたいと思い、かつ、テントの外側にいる人々にテント内を覗き込まれたくたい場合、インナーカバー３４または他の窓覆いをジッパで閉じなければならない。窓開口２４のこのように閉鎖すると、窓開口２４を介するベンチレーションも遮断される。しかし、本発明の留め具４０は、インナーカバー３４を窓開口２４の外周に取り付けられ、かつ、そこから離れた状態に維持することができ、インナーカバー３４の外周の周りおよび上方からのベンチレーションを可能とする、インナーカバー３４がテント内への覗き込みを制限することも可能にする。
【００２１】
留め具４０は、カバーを有するいかなる窓にも適用することができる。一例として、窓は、留め具４０のような留め具と共に、スクリーンおよびインナーカバー（例えば、インナーカバー３４など、ただし、それに限定されない）を有することができる。しかし、一般的に、留め具は、ジッパなど別の機構を使用してインナーカバーを閉じるときに有用である。このように、留め具は、インナーカバーを支持するための代替物として役立つ。しかし、代替実施形態では、例えば、留め具をジッパに取り付けることによって、ジッパまたは他の主要な閉鎖機構を留め具と一緒に利用することができる。
【００２２】
一実施形態では、インナーカバー３４は、インナーカバー３４がシェルフとして作用するように、図４に示す位置に倒すことができる。安定した表面を確保するために、インナーカバー３４が図４の位置に倒された際に、インナーカバー３４の形状を維持する構造体を設けることができる。図示した実施形態では、半円形ポール４６がインナーカバー３４の外縁に沿って取り付けられる。以下でさらに述べるように、ポール４６は、テント２０が組み立てられた後で取り付けるようにして、ポール４６がテント２０の折り畳みおよび保管を妨害しないようにすることが好ましい。ポール４６は、インナーカバー３４の頂縁上のスリーブを介して伸長し、インナーカバー３４の基部の外縁で布製ソケット５０、５２に着し込まれる。ポール４６を取り付けるために別の適切な構造を設けてもよい。さらに、インナーカバー３４に構造を付与するために、追加的または代替的なポールなどの他の構造を設けてもよい。一例として、インナーカバー３４を支持するために、一連のポールが放射状に伸長するようにしてもよい。さらに、一連のポールがインナーカバー３４の裏面に沿って垂直に伸長させてもよい。
【００２３】
一実施形態では、スクリーン５４、５６は、インナーカバー３４が図４に示した降下位置にあるときに、窓開口２４の上縁と、インナーカバー３４の上縁と、中央配置される布製ストリップ５８との間に広がる。スクリーン５４、５６は害虫および他の昆虫の進入を防止するもので、ジッパ６０によって布製ストリップ５８に沿って、かつ、別のジッパ６２によりインナーカバー３４の外縁に沿って取り付けられる。ジッパつまみ６４、６６はそれぞれジッパ６０、６２の各々に設けられる。使用時には、使用者はジッパつまみ６４、６６を把持し、スクリーン５４、５６が布製ストリップ５８およびインナーカバー３４から分離されるように、ジッパ６０、６２を引いて開けることができる。スクリーン５４、５６は次いで、例えば、ストラップ７０によって後ろに束ねられるようにしてもよい（図５）。
【００２４】
布製ストリップ５８は、窓開口２４の頂部からインナーカバー３４の外縁まで伸長し、図４および図５の位置にあるときに、インナーカバー３４を支持する。つまり、布製ストリップ５８は緊張状態にあり、その上端は窓開口２４の上縁に対しての取り付けられることにより支持される。インナーカバー３４が、図４および図５に示した降下位置にあるときに、布製ストリップ５８は緊張状態にあり、インナーカバー３４の外側部が下向きにさらに回転することを防止する。このようにして、布製ストリップ５８およびインナーカバー３４により、水平方向に広がる支持シェルフが提供される。必要に応じて、インナーカバー３４を水平状態に支持するために、他の構造を使用してもよい。しかし、上述の特定の実施形態では、図２に仮想線で示すように、インナーカバー３４が完全に閉じられたときに、布製ストリップ５８をインナーカバー３４と窓アウトカバー２６との間に折り畳むことができるため、便利である。さらに、布製ストリップ５８は布地から作られるため、保管または移送の際に、テント２０の残部と共に容易に折り畳むことができる。
【００２５】
一実施形態では、窓アウトカバー２６には、ジッパ２８を引いて開けるために、テント２０の内側からアクセス可能な別のジッパつまみ７６，７８（図５）を備える。これらのジッパつまみ７６，７８は、例えば、スクリーン５４、５６が図５に示した倒された状態のときに、アクセスすることができる。
【００２６】
使用に際して、使用者はテント２０を組み立てる。使用者が前に使用したときにインナーカバー３４を閉じていた場合、インナーカバー３４は図２に示した構成となる。使用者は、次いでジッパ３６を引いて開け、インナーカバー３４を図４に示す位置まで下げる。この時点で、インナーカバー３４はその構造は有効に支持されていない。この支持のために、ポール４６が挿着される。例えば、ポール４６をスリーブ４８に通し、布製ソケット５０、５２のうちの最初の一つに挿入し、次いで張力を掛けて、布製ソケット５０、５２のうちの二番目に挿入する。このようにして、ポール４６が緊張状態に配置され、インナーカバー３４の外側部分を所定の位置に保持する。
【００２７】
上述の通り、布製ストリップ５８は、インナーカバー３４が下向きにさらに回転することを防止し、ポール４６、インナーカバー３４、および布製ストリップ５８により、テント２０内に水平方向に配置されたシェルフが提供される。テント２０内の使用者は、スクリーン５４、５６上のジッパ６０、６２を引いて開けることによって、シェルフにアクセスすることができる。スクリーン５４、５６を引いて開けると、図５に示すようなシェルフが現われる。その後、使用者はジッパつまみ７６、７８にもアクセスすることができ、使用者はそれを使用して、窓アウトカバー２６を開くことができる。窓アウトカバー２６は、図６に示すように、インナーカバー３４の頂面に向かって平坦に横置きしてもよく、あるいは邪魔にならないように下向きに巻いてもよい。窓アウトカバー２６を開けた後、使用者は、再びスクリーン５４、５６を閉じて、テント２０の内部に対する虫除けとすることができる。そして、テント２０のベンチレーションが、窓開口２４を介して行われる。
【００２８】
窓アウトカバー２６を開けると、使用者は、インナーカバー３４によるシェルフに、テント２０の外側からアクセスすることができる。シェルフに物品を配置すれば、後で使用者がテント２０内にいるときに、それを取ることができ、あるいはすでにテント内にいる別の使用者が取ることもできる。窓アウトカバー２６が閉じている場合、テントの外にいる使用者は、ジッパつまみ３０、３２を掴み、それを開いてシェルフにアクセスすることができる。
【００２９】
一実施形態では、インナーカバー３４の外面に小物袋８０、８２、８４を設けている。これらの小物袋は、時計およびその他の小さい貴重な物品などの物品用の収納場所を提供する。小物袋は、インナーカバー３４が、図２に示す位置のときに、直立に配設され、インナーカバー３４が図４、図５、および図６に示す位置のときに、インナーカバー３４の下に水平に配設される。
【００３０】
他の変形例についても本発明の思想の範囲内にある。このように、本発明は、様々な変形および代替的構成を許容することができ、その特定の例示的実施形態を図面に示し、詳述した。しかし、本発明を、開示した特定の単数または複数の形態に限定する意図はなく、本発明は、請求の範囲により定められる本発明の思想および範囲内に該当する全ての変形、代替的構成および均等物を包含するものである。
【００３１】
本明細書で引用した出版物、特許出願、および特許をはじめとする全ての参考文献は、各文献が個別にかつ具体的に、参照によって組み込まれると指摘され、かつその全体が本明細書に記載されたかのように、その内容は本明細書に組み込まれる。
【００３２】
本発明の記述において（特に請求の範囲について）、用語「一」および「該」、ならびに同様の指示は、本明細書で特に異なる指摘がない限り、あるいは文脈上明らかに矛盾しない限り、単数および複数の両方を含むと解釈すべきである。用語「備える」、「有する」、「含む」および「含有する」は、特に異なる指示がない限り、制限のない用語（つまり、「含むが、それに限定されない」を意味する）と解釈すべきである。用語「接続された」、「結合された」は、部分的にまたは全体的に内部に含まれるか、取り付けられるか、たとえ何か介在するものがある場合でも、一つに結合されると解釈すべきである。本明細書における値の範囲の列挙は、本明細書で特に異なる指摘がない限り、その範囲内に該当する各々の別個の値を個別に参照する簡単明瞭な方法として役立つように意図されているにすぎず、各々の別個の値が、本明細書に個別に列挙されているかのように、明細書に組み込まれる。本明細書に記載したすべての方法は、本明細書で特に異なる指摘がない限り、あるいは文脈上明らかに矛盾しない限り、任意の適切な順序で実行することができる。本明細書に提示する全ての例、あるいは例示言語（例えば「のような」）の使用は、単に本発明の実施形態をよりよく明らかにすることを意図したものであって、特に言明しない限り、本発明の範囲に制限を課すものではない。明細書のいかなる言語も、請求の範囲に記載されていない要素を本発明の実施に必要不可欠なものと指摘していると解釈してはならない。
【００３３】
発明者が知る本発明を実施するための最適な態様を含めて、本発明の好適な実施形態を本明細書に記載した。上記説明の読後に、これらの好適な実施形態の変形が通常の当業者には明らかになることもある。発明者は、当業者がそのような変形を適宜使用することを予想しており、発明者は、本発明が本明細書に具体的に記載した以外の方法で実施されることを意図している。したがって、本発明は、適用される法によって認められる限り、請求の範囲に記載する対象の全ての変形および均等物を含む。さらに、本明細書で特に異なる指摘がない限り、あるいは文脈上明らかに矛盾しない限り、上述した要素の全ての可能な変形の任意の組合せが、本発明の範囲に含まれる。
【図面の簡単な説明】
【００３４】
【図１】本発明の実施形態によるテントの斜視図である。
【図２】図１に示すテント用の窓の内側の斜視図である。
【図３】窓を部分的に開けた状態にある図２の窓に示す斜視図である。
【図４】窓がシェルフ構造をとるまで完全に開かれた状態の図２および図３に示す窓の斜視図である。
【図５】窓用のスクリーンをジッパを引いて開けた状態を示す図４の窓の斜視図である。
【図６】図５に示された窓の側断面図である。
【図１】
2005248698.tif 000003
【図２】
2005248698.tif 000004
【図３】
2005248698.tif 000005
【図４】
2005248698.tif 000006
【図５】
2005248698.tif 000007
【図６】
2005248698.tif 000008
【外国語明細書】
2005248698.tif 000009
2005248698.tif 000010
2005248698.tif 000011
2005248698.tif 000012
2005248698.tif 000013
2005248698.tif 000014
2005248698.tif 000015
2005248698.tif 000016
2005248698.tif 000017
2005248698.tif 000018
2005248698.tif 000019
2005248698.tif 000020
2005248698.tif 000021
2005248698.tif 000022
2005248698.tif 000023
2005248698.tif 000024
2005248698.tif 000025
2005248698.tif 000026
2005248698.tif 000027
2005248698.tif 000028
2005248698.tif 000029
2005248698.tif 000030
2005248698.tif 000031
2005248698.tif 000032
2005248698.tif 000033
2005248698.tif 000034
2005248698.tif 000035